(57)【要約】  【課題】通信教育において通信ネットワークを用いて答案練習会を行うことができるネットワーク答案練習会システムを提供すること。  【解決手段】システム管理センタ１１は、センタ全体を制御する制御部１１１と、通信ネットワーク１２を介して情報の送受信を行う送受信部１１２と、答案練習会で使用する種々の問題を格納した問題ＤＢ１１４と、答案練習会で使用する種々の解説を格納した解説ＤＢ１１５と、利用者が選択した問題や解説を問題ＤＢ１１４及び解説ＤＢ１１５から抽出する問題抽出部１１３と、解答時間の計測を行う時間計測部１１６と、利用者が選択した問題や解答に対する課金の処理を行う課金部１１７と、利用者の個人情報（住所、氏名、電話番号、ＦＡＸ番号、電子メールアドレス、決済口座など）を登録する登録ＤＢ１１８と、センタに対して必要な入力を行う入力部１１９とから主に構成されている。  【選択図】図１
2005275252.tif 000002
【特許請求の範囲】
【請求項１】
複数のユーザが使用する端末装置と、前記端末装置にネットワークを介して接続されたシステム管理センタとを用いるネットワーク答案練習会システムであって、前記システム管理センタは、前記ユーザが選択した問題を配信し、所定時間内に前記各ユーザからの前記問題に対する解答を受信し、前記所定時間内に前記解答を受信したユーザに対してのみ前記問題に対する解説を配信することを特徴とするネットワーク答案練習会システム。
【請求項２】
前記システム管理センタは、問題を選択する際に課金処理を行い、前記課金処理に基づく決済に関する情報を前記ネットワークを介して決済会社に送ることを特徴とする請求項１記載のネットワーク答案練習会システム。
【請求項３】
前記システム管理センタと前記端末装置との間の通信は、電子メール及び／又はファクシミリにより行われることを特徴とする請求項１又は請求項２記載のネットワーク答案練習会システム。
【請求項４】
前記問題は、科目毎及び／又は年度毎に選択可能である請求項１から請求項３のいずれかに記載のネットワーク答案練習会システム。
【請求項５】
試験開始時刻から試験終了時刻まで、前記システム管理センタとユーザは専用テレビ電話システム又はインターネットテレビ電話システムにより接続されると共に答案作成中のユーザはカメラによって撮影され、前記システム管理センタは前記カメラによって撮影されたユーザの動画データを受信することを特徴とする請求項１から請求項４のいずれかに記載のネットワーク答案練習会システム。
【請求項６】
前記問題の解説は講師の動画データを含む映像解説であり、前記ユーザが前記映像解説を選択するときに、前記システム管理センタは、課金処理を行い、前記課金処理に基づく決済に関する情報を前記ネットワークを介して決済会社に送ることを特徴とする請求項１から請求項５のいずれかに記載のネットワーク答案練習会システム。
【発明の詳細な説明】
【技術分野】
【０００１】
本発明は、コンピュータなどの端末装置と通信ネットワークとを利用したネットワーク答案練習会システムに関し、特に、多数のユーザ、例えば受験生が自宅で答案練習会を受けることができるネットワーク答案練習会システムに関する。
【背景技術】
【０００２】
我が国では、種々の資格試験などが設けられている。現在、このような資格試験の受験者はますます増加している。このため、このような資格試験のための教育機関も数多く存在している。このような教育機関においては、その教育機関に通学で教育を受けるコースと、遠隔地や時間の都合上で教育機関に通学することができない人のために通信で教育を受けるコース（通信教育）とが設定されている。
【発明の開示】
【発明が解決しようとする課題】
【０００３】
従来の通信教育の場合においては、通常教育機関から郵便などで受講者に問題が送付され、受講者は問題に対して解答して答案を作成し、その答案を郵便などで教育機関に返送し、さらに教育機関で採点した後の答案を再度教育機関から受講者に送付されるようになっている。
【０００４】
近年では、通信教育においてコンピュータと通信ネットワークとを利用した試みもなされているが、通信ネットワークを用いた答案練習会はまだ実現されていないのが現状である。
【０００５】
本発明はかかる点に鑑みてなされたものであり、通信教育において通信ネットワークを用いて答案練習会を行うことができるネットワーク答案練習会システムを提供することを目的とする。
【課題を解決するための手段】
【０００６】
本発明のネットワーク答案練習会システムは、複数のユーザが使用する端末装置と、前記端末装置にネットワークを介して接続されたシステム管理センタとを用いるネットワーク答案練習会システムであって、前記システム管理センタは、前記ユーザが選択した問題を配信し、所定時間内に前記各ユーザからの前記問題に対する解答を受信し、前記所定時間内に前記解答を受信したユーザに対してのみ前記問題に対する解説を配信することを特徴とする。この構成によれば、通信教育において通信ネットワークを用いて答案練習会を行うことができる。
【０００７】
本発明のネットワーク答案練習会システムにおいては、前記システム管理センタは、問題を選択する際に課金処理を行い、前記課金処理に基づく決済に関する情報を前記ネットワークを介して決済会社に送ることが好ましい。
【０００８】
本発明のネットワーク答案練習会システムにおいては、前記システム管理センタと前記端末装置との間の通信は、電子メール及び／又はファクシミリにより行われることが好ましい。
【０００９】
本発明のネットワーク答案練習会システムにおいては、前記問題は、科目毎及び／又は年度毎に選択可能であることが好ましい。
【００１０】
本発明のネットワーク答案練習会システムにおいては、試験開始時刻から試験終了時刻まで、前記システム管理センタとユーザは専用テレビ電話システム又はインターネットテレビ電話システムにより接続されると共に答案作成中のユーザはカメラによって撮影され、前記システム管理センタは前記カメラによって撮影されたユーザの動画像を受信することが好ましい。
【００１１】
本発明のネットワーク答案練習会システムにおいては、前記問題の解説は講師の動画データを含む映像解説であり、前記ユーザが前記映像解説を選択するときに、前記システム管理センタは、課金処理を行い、前記課金処理に基づく決済に関する情報を前記ネットワークを介して決済会社に送ることが好ましい。
【発明の効果】
【００１２】
本発明に係るネットワーク答案練習会システムによれば、複数のユーザが使用する端末装置と、この端末装置にネットワークを介して接続されたシステム管理センタとを用い、システム管理センタが、ユーザが選択した問題を配信し、所定時間内に各ユーザからの問題に対する解答を受信し、所定時間内に前記解答を受信したユーザに対してのみ問題に対する解説を配信するので、通信教育において通信ネットワークを用いて答案練習会を実現することが可能である。
【発明を実施するための最良の形態】
【００１３】
以下、本発明の実施の形態について、添付図面を参照して詳細に説明する。
図１は、本発明の一実施の形態に係るネットワーク答案練習会システムの概略構成を示す図である。このネットワーク答案練習会システムは、教育機関が有するシステム管理センタ１１と、システム管理センタ１１と通信ネットワーク１２を介して接続された各ユーザである利用者１３が有する端末装置と、システム管理センタ１１と通信ネットワーク１２を介して接続された決済会社１４が有する端末装置とから主に構成される。通信ネットワーク１２としては、通常の電話回線、インターネット、ＬＡＮなどのネットワークなどを挙げることができる。
【００１４】
このネットワーク答案練習会システムにおいては、システム管理センタ１１が、答案練習会用のサイト上で利用者（必要に応じてユーザ又は受講生と呼ぶ）が選択した問題を利用者１３の端末装置に配信し、試験時間終了後に各利用者１３の端末装置から答案をそれぞれ受信する。このとき、システム管理センタ１１は、答案を所定時間内に受信したときに、問題に対する解答を配信する。必要に応じて講師が解説している映像（画像）解説を配信する。一方、教育機関で答案を採点した後に、採点後の答案を郵送などにより利用者に送付する。なお、問題配信と映像配信については課金処理が行われ、その決済情報が決済会社１４に送られる。
【００１５】
システム管理センタ１１と利用者との間の通信は、電子メール及び／又はファクシミリによってなされる。端末装置は、電子メール機能を有する装置とファクシミリ機能を有する装置の２つの装置を含んでも良く、２つの装置の代わりに、電子メール機能とファクシミリ機能を有する１つの端末装置を使用しても良い。例えば、ファクシミリ機能を有するコンピュータを使用してデータを送信しても良い。具体的には、利用者１３が答案を電子的に読み取って電子ファイルとし、電子メールにその電子ファイルを添付してシステム管理センタ１１に送信する。
【００１６】
なお、利用者からの答案を送付する際に、電子メールを使用するか、ファクシミリを使用するかは、利用者が適宜選択する。例えば、問題に対するいくつかの解答から正しいものを選択する択一式試験における解答では、電子メールを使用することが便利であり、また、問題に対し自己の論文を筆記する論文式試験における解答では、ファクシミリを使用することが便利である。
【００１７】
システム管理センタ１１は、センタ全体を制御する制御部１１１と、通信ネットワーク１２を介して情報の送受信を行う送受信部１１２と、答案練習会で使用する種々の問題を格納した問題データベース（ＤＢ）１１４と、答案練習会で使用する種々の解説を格納した解説データベース（ＤＢ）１１５と、利用者が選択した問題や解説を問題ＤＢ１１４及び解説ＤＢ１１５から抽出する問題抽出部１１３と、解答時間の計測を行う時間計測部１１６と、利用者が選択した問題や解答に対する課金の処理を行う課金部１１７と、利用者の個人情報（住所、氏名、電話番号、ＦＡＸ番号、電子メールアドレス、決済口座など）を登録する登録データベース（ＤＢ）１１８と、センタに対して必要な入力を行う入力部１１９とから主に構成されている。
【００１８】
問題ＤＢ１１４には、種々の科目の問題が年度別あるいはテーマ別に格納されている。解説ＤＢ１１５には、問題に対応する解説が各科目毎に年度別に格納されている。問題抽出部１１３は、利用者が選択した問題（科目と年度を指定）、例えば、民法の平成１４年度の問題を問題ＤＢ１１４から抽出し、さらにその問題に対応する解説、例えば、民法の平成１４年の問題の解説を抽出して、抽出した問題及び解説を送受信部１１２に送る。送受信部１１２は、制御部１１１の制御により、抽出された問題及び解説を通信ネットワーク１２を介して利用者に配信する。
【００１９】
時間計測部１１６は、利用者に問題を配信してから所定時間を計測する。所定時間とは、試験時間に準備時間を含めた時間をいう。ここで準備時間とは、配信された問題に対して作成した答案をシステム管理センタ１１に送信するための準備に要する時間をいう。例えば、この準備時間は５〜３０分の間で教育機関が適宜設定することができる。
【００２０】
制御部１１１は、所定時間内に答案の返送がなかった利用者を失格にし、失格した旨を登録ＤＢ１１８に更新する。また、制御部１１１は、失格した利用者の送付先を登録ＤＢ１１８から検索し、その送付先に失格通知を送受信部１１２から電子メールなどで送付する。一方、制御部１１１は、所定時間内に答案の返送があった利用者について、返送があった旨を登録ＤＢ１１８に更新する。また、制御部１１１は、返送があった利用者の送付先を登録ＤＢ１１８から検索し、その送付先に解説を送受信部１１２から電子メールなどで送付する。
【００２１】
課金部１１７は、問題配信や映像解説などに要する課金処理を行う。具体的には、利用者が課金される内容について同意してサイト上でＯＫボタンをクリックすると、その制御信号が送受信部１１２を介して制御部１１１に送られる。制御部１１１は、その制御信号を受信すると、課金部１１７に指示を行う。制御信号には、利用者を識別できる情報が含まれている。課金部１１７は、制御信号に含まれる利用者識別情報に基づいて、登録ＤＢ１１８にあらかじめ登録された個人情報を用いて課金処理（決済処理）を行う。また、課金部１１７は、この決済情報を送受信部１１２から通信ネットワーク１２を介して決済会社１４に送る。決済会社１４は、受信した決済情報に基づいて対象となる利用者に対して決済を行う。決済の方法としては、銀行振込、郵便振替、クレジット決済などを用いることができる。
【００２２】
入力部１１９は、採点した答案の点数などを入力する際に使用される。この点数などの情報は、制御部１１１により、登録ＤＢ１１８内の対象利用者の情報に更新される。なお、制御部１１１は、答案の点数などの情報を用いて、平均点、分布、標準偏差などの計算を行う演算機能を備える。そして、その計算結果を登録ＤＢ１１８内の対象利用者の情報に更新する。
【００２３】
次に、本発明のネットワーク答案練習会システムの答案練習会手順について説明する。図２は、本発明の一実施の形態に係るネットワーク答案練習会システムにおける答案練習会手順を説明するためのフローチャートである。また、図３〜図１０は、本発明の一実施の形態に係るネットワーク答案練習会システムの答案練習会における利用者端末装置の画面表示の例を示す図である。
【００２４】
まず、ステップＳＴ１１において、ネットワーク答案練習会のサイト上で利用者１３が問題を選択する。図３に示すように、画面上に種々の科目名画面が表示されるので、答案練習を行いたい科目をクリックする。ここでは、例えば、民法をクリックする。クリックすると、図４に示すように、提供できる試験問題の年度画面あるいはテーマ画面が表示されるので、答案練習を行いたい年度をクリックする。ここでは、例えば、平成１５年をクリックする。クリックすると、図５に示すように、登録・課金同意画面が表示される。
【００２５】
ステップＳＴ１２では、登録・同意画面では、利用者１３の個人情報（住所、氏名、電話番号、ＦＡＸ番号、電子メールアドレス、決済方法など（図５には一部しか表示せず））を入力するようになっており、利用者１３は本システムを利用する場合に、個人情報を入力する。また、登録・同意画面には、答案一通の金額、例えば１５００円が表示されており、また、本システムを利用するにあたっての規約が表記されている。例えば、規約には、通常ネットワークで決済を行う際に定められる事項や、時間内に解答しなかったときに採点を行わない旨などの本システム特有の事項などが含まれる。利用者１３は、その内容を確認した後に、規約に同意するときにはＯＫボタンをクリックする。
【００２６】
利用者１３が同意すると、それらの情報が通信ネットワーク１２を介してシステム管理センタ１１に送られる。システム管理センタ１１では、それらの情報が送受信部１１２から制御部１１１に送られる。制御部１１１は、個人情報を登録ＤＢ１１８に送り、個人情報を登録する。また、制御部１１は、課金情報を課金部１１７に送る。課金部１１７は、登録ＤＢ１１８に登録された個人情報を抽出し、その個人情報に基づいて課金処理を行う。その後、決済情報は、送受信部１１２から通信ネットワーク１２を介して決済会社１４に送られる。決済会社１４は、所定の処理により決済を行う。
【００２７】
また、制御部１１１は、問題抽出部１１３に利用者１３が選択した問題情報を送る。問題抽出部１１３は、問題情報に基づいて、問題ＤＢ１１４から対象となる問題を抽出する。制御部１１１は、抽出された問題及び答案用紙を送受信部１１２から通信ネットワーク１２を介して利用者１３に配信する（ステップＳＴ１３）。制御部１１１は、問題を選択した利用者１３の送信先の情報を登録ＤＢ１１８から抽出し、その送信先に問題を配信する。また、制御部１１１は、時間計測部１１６に制御信号を送る。時間計測部１１６は、制御信号を受信すると、時間計測を開始する（ステップＳＴ１４）。時間計測部１１６は、試験時間内に定期的に残り時間情報を利用者１３に送るようにしても良い。これにより、利用者１３は、残り時間を認識することが可能になる。
【００２８】
利用者１３に問題が配信されると、図６に示すように、問題画面が表示される。このとき、問題画面には、問題を配信した時間（発送時刻）と解答終了時刻（終了時刻）が表示される。したがって、利用者１３は、終了時刻を目安に答案を作成する。解答方法は、キーボードを用いて電子的に入力しても良く、鉛筆又はペンで書面に解答を書いても良い。終了時刻になると、各利用者１３は、問題を解くのを止め、答案を提出する。なお、問題をプリントアウトしたい場合には、問題画面のプリントボタンをクリックすることにより出力することができる。
【００２９】
利用者１３は、所定時間（試験時間＋準備時間）内に答案をシステム管理センタ１１に送信する。システム管理センタ１１（制御部１１１）は、問題を配信した利用者１３から解答があったか（答案を受け取ったか）どうかを判断する（ステップＳＴ１５）。利用者１３から解答があった場合には、その答案を採点する（ステップＳＴ１６）。この場合、制御部１１１は、時間計測部１１６からの時間計測情報と利用者１３から送られてきた解答を受信した時刻とを比較し、解答受信時刻が所定時間内であれば、問題抽出部１１３に制御信号を送る。問題抽出部１１３は、制御信号に基づいて、解説ＤＢ１１５から対象となる解説（配信した問題に対応する解説）を抽出する。制御部１１１は、抽出された解説を送受信部１１２から通信ネットワーク１２を介して利用者１３の送信先に配信する（ステップＳＴ１７）。送信先は、上述のように登録ＤＢ１１８から抽出する。利用者１３に解説が配信されると、図７に示すように、解説画面が表示される。
【００３０】
一方、制御部１１１は、解答を受信しなかった場合や、時間計測部１１６からの時間計測情報と利用者１３から送られてきた解答を受信した時刻とを比較し、解答受信時刻が所定時間外である場合に、失格通知（失格メール）を送受信部１１２から通信ネットワーク１２を介して利用者１３の送信先に配信する（ステップＳＴ１８）。送信先は、上述のように登録ＤＢ１１８から抽出する。なお、登録ＤＢ１１８の利用者の情報には、解答が送付されたか否かの情報が更新される。
【００３１】
なお、例えば、公開模擬試験などの厳格に公正性が要求されるような試験を行う場合には、解答時にシステム管理センタ１１と各利用者１３とを専用テレビ電話システム又はインターネットテレビ電話システムにより接続し、答案作成中の利用者１３をカメラにより監視する方法を採ることができる。あるいは、デジタルカメラによる断続的な撮影により監視する方法を採っても良い。これにより、各利用者１３は、撮影される位置において答案作成をすることが義務付けられ、教科書や参考書を見ることが禁止される。
【００３２】
図７に示す解説画面には、問題について解説した解説レジュメが表示される他、講師の生の声で、より詳細な解説を希望する人のための映像解説ボタンが表示される。ここで、映像解説が必要かどうかが判断される（ステップＳＴ１９）。利用者１３は、映像解説を選択するのであれば、映像解説ボタンをクリックする。クリックすると、図８に示すように、課金同意画面が表示される。
【００３３】
課金同意画面では、映像解説の金額、例えば２５００円が表示されており、また、本システムを利用するにあたっての規約が表記されている。例えば、規約には、通常ネットワークで決済を行う際に定められる事項や、本システム特有の事項などが含まれる。利用者１３は、その内容を確認した後に、規約に同意するときにはＯＫボタンをクリックする。
【００３４】
利用者１３が同意すると（ステップＳＴ２０）、それらの情報が通信ネットワーク１２を介してシステム管理センタ１１に送られる。システム管理センタ１１では、それらの情報が送受信部１１２から制御部１１１に送られる。制御部１１は、課金情報を課金部１１７に送る。課金部１１７は、登録ＤＢ１１８の個人情報に基づいて課金処理を行う。その後、決済情報は、送受信部１１２から通信ネットワーク１２を介して決済会社１４に送られる。決済会社１４は、所定の処理により決済を行う。
【００３５】
また、制御部１１１は、問題抽出部１１３に制御信号を送る。問題抽出部１１３は、制御信号に基づいて、解説ＤＢ１１５から対象となる映像解説（配信した問題に対応する映像解説）を抽出する。制御部１１１は、抽出された映像解説を送受信部１１２から通信ネットワーク１２を介して利用者１３の送信先に配信する（ステップＳＴ２１）。送信先は、上述のように登録ＤＢ１１８から抽出する。利用者１３に映像解説が配信されると、図９に示すように、映像解説画面が表示される。
【００３６】
映像解説においては、動画データ（映像）を再生し、文書データを印刷する。動画データのダウンロードと再生は、ストリーミングを利用して、同時に行っても良い。利用者１３は、映像解説を撮影した動画データを一旦端末装置のハードディスクなどの記憶装置に記憶し、後で任意の時間に再生しても良い。
【００３７】
上述の映像解説は、通学生が受講しているときに撮影されたものでも良く、通信生のために、特別に映像解説を行い、それをデジタルビデオカメラにより撮影したものでも良い。映像解説を撮影した動画データは、解説ＤＢ１１５に格納されても良く、サービスプロバイダの大型サーバに蓄積しておき、ユーザが必要に応じて随時サービスプロバイダからダウンロードできるようにしても良い。これにより、きわめて多数のユーザが映像解説をいつでも入手することができる。
【００３８】
ステップＳＴ２２では、答案受領後数日後に、システム管理センタ１１から利用者１３に解説類を配信する。解説類を配信すると、図１０に示すように、解説類画面が表示される。解説類画面には、成績表ボタン、全体講評ボタン、添削答案ボタン、優秀答案ボタンなどが表示される。なお、解説類画面に表示されるものは、解説類に含まれるものに応じて適宜変更することが可能である。なお、解説類については、プリントアウトした状態で郵送で送付することもできる。
【００３９】
成績表ボタンをクリックすると、その問題を解答した人の成績が表示される。この成績表は、登録ＤＢに登録されたデータから制御部１１１が算出する。また、全体講評ボタンをクリックすると、その問題に対する講師の講評が表示される。この講評は、あらかじめ入力部１１９より講師が入力する。そして、この講評は、解説ＤＢ１１５に格納される。また、この講評については、利用者の解答に応じて適宜講師が更新することができる。また、優秀答案ボタンをクリックすると、その問題に対する優秀答案が表示される。この優秀答案は、その時点で最も優秀と思われる答案を入力部１１９より講師が入力する。そして、この優秀答案は、解説ＤＢ１１５に格納される。また、この優秀答案については、利用者の解答に応じて適宜講師が更新することができる。
【００４０】
なお、利用者１３が鉛筆又はペンで書面による答案をファクシミリにより送信してきた場合には、手書きで添削を行い、それをファクシミリで返却しても良く、添削後のものを電子的に読み取り、電子ファイルとして電子メールに添付して返却しても良い。また、利用者１３が答案を電子データとして送信してきた場合には、ペンタッチシステムなどを利用して電子化された答案に直接書き込み、書き込んだものをダイレクトに電子メールで送信するようにしても良い。このような場合には、利用者１３が添削答案ボタンをクリックすることにより、利用者１３が画面上で添削後の答案を見ることができる。
【００４１】
本発明は上記の実施形態に限定されず、種々変更して実施することが可能である。例えば、問題の科目などや問題や解説の価格、表示画面のレイアウトや表示項目については特に限定されず、種々変更して設定することができる。また、上記実施の形態においては、問題配信を電子メールで行う場合について説明しているが、本発明においては、問題配信をファクシミリにより手動で行うようにしても良い。この場合、問題は、各受験生に対して同時刻に配信する。このようにしても上記と同様の効果を発揮することが可能である。
【００４２】
また、上記実施の形態において、利用者が問題を選択した後に利用者の個人情報を登録するようになっているが、あらかじめ利用者がサイト上で個人情報を登録し、会員ＩＤやパスワードを取得した後に、そのＩＤやパスワードを用いてサイト上で答案練習会に参加するようにしても良い。
【００４３】
また、上記実施の形態においては、問題配信から解説配信までの処理をハードウェアで処理する場合について説明しているが、本発明においては、問題配信から解説配信までの処理をソフトウェアで構成しても良い。例えば、問題配信から解説配信までの処理をプログラム化し、そのプログラムをＲＯＭに格納し、そのプログラムにしたがってＣＰＵの指示により動作させるように構成しても良い。また、このプログラムをコンピュータで読み取り可能な記憶媒体に格納し、この記憶媒体のプログラムをコンピュータのＲＡＭに記録して、そのプログラムにしたがって動作させるようにしても良い。このような場合においても、上記実施の形態と同様の作用、効果を呈する。
【産業上の利用可能性】
【００４４】
本発明は、資格試験のための教育機関において、通信ネットワークを用いて答案練習会を行う際に有効に利用することができる。
【図面の簡単な説明】
【００４５】
【図１】本発明の一実施の形態に係るネットワーク答案練習会システムの概略構成を示す図である。
【図２】本発明の一実施の形態に係るネットワーク答案練習会システムの答案練習会手順を説明するためのフローチャートである。
【図３】本発明の一実施の形態に係るネットワーク答案練習会システムの答案練習会における利用者端末装置の画面表示の例を示す図である。
【図４】本発明の一実施の形態に係るネットワーク答案練習会システムの答案練習会における利用者端末装置の画面表示の例を示す図である。
【図５】本発明の一実施の形態に係るネットワーク答案練習会システムの答案練習会における利用者端末装置の画面表示の例を示す図である。
【図６】本発明の一実施の形態に係るネットワーク答案練習会システムの答案練習会における利用者端末装置の画面表示の例を示す図である。
【図７】本発明の一実施の形態に係るネットワーク答案練習会システムの答案練習会における利用者端末装置の画面表示の例を示す図である。
【図８】本発明の一実施の形態に係るネットワーク答案練習会システムの答案練習会における利用者端末装置の画面表示の例を示す図である。
【図９】本発明の一実施の形態に係るネットワーク答案練習会システムの答案練習会における利用者端末装置の画面表示の例を示す図である。
【図１０】本発明の一実施の形態に係るネットワーク答案練習会システムの答案練習会における利用者端末装置の画面表示の例を示す図である。
【符号の説明】
【００４６】
１１…システム管理センタ
１２…通信ネットワーク
１３，１４…端末装置
１１１…制御部
１１２…送受信部
１１３…問題抽出部
１１４…問題データベース
１１５…解説データベース
１１６…時間計測部
１１７…課金部
１１８…登録データベース
１１９…入力部
【図１】
2005275252.tif 000003
【図２】
2005275252.tif 000004
【図３】
2005275252.tif 000005
【図４】
2005275252.tif 000006
【図５】
2005275252.tif 000007
【図６】
2005275252.tif 000008
【図７】
2005275252.tif 000009
【図８】
2005275252.tif 000010
【図９】
2005275252.tif 000011
【図１０】
2005275252.tif 000012